(57)【要約】【課題】  計時をデジタル表示とアナログ表示の少なくとも一方で行うとともに、表示パネルに加飾性を持たせられる加飾板を積層したので、表示パネルの表面に付加する加飾手段と種々な背景加飾表示とを組み合わせとして加飾することができて、加飾表示にバリエーションと立体感と高級感が得られる。【解決手段】  時計ケース１３内に、ムーブメント４４と、ムーブメント４４に備える針取付体４５に取着される表示指針４６と、ムーブメント４４と表示指針４６との間に位置する表示パネルである電気泳動表示装置４７とを備える。表示パネル４７は、表示に保持性を有する表示パネルでありこの表示パネル４７の表面に全部または一部が透明または半透明である加飾板４８を積層し、さらに針取付体用貫通手段を備えていてここに針取付体４５を通した構成である。【選択図】      図５
2007047030.tif 000002
【特許請求の範囲】
【請求項１】
時計ケース内に、表示に保持性を有する表示パネルと、この表示パネルの表面に近接または密着して重ねられ全部または一部が透明または半透明である加飾板とを備えたことを特徴とする計時装置。
【請求項２】
時計ケース内に、ムーブメントと、このムーブメントに備える針取付体に取着される表示指針と、前記ムーブメントと前記表示指針との間に位置する表示パネルとを備えた計時装置において、
前記表示パネルは、表示に保持性を有する表示パネルでありこの表示パネルの表面に近接または密着して重ねられ全部または一部が透明または半透明である加飾板を備え、さらに針取付体用貫通手段を備えていてここに前記針取付体を通した構成であることを特徴とする計時装置。
【請求項３】
前記表示パネルは、電気泳動表示装置であることを特徴とする請求項１または２記載の計時装置。
【請求項４】
前記加飾板は、前記表示パネルの月齢表示等の表示箇所に対応した部分が貫通孔または透光窓になっていて、前記表示パネルは、前記貫通孔または前記透光窓に対応する部分に表示機能を有する構成であり、前記加飾板の前記貫通孔または前記透光窓に対応する部分以外の部分は、加飾板を不透明材料で構成するかまたは加飾板の表面または内部に不透明となる印刷層を有することを特徴とする請求項２または３記載の計時装置。
【請求項５】
前記加飾板の表面に略字を単数または複数備え、前記表示パネルは、前記略字の周囲領域内の所要箇所に表示機能を有する構成であることを特徴とする請求項１乃至３のいずれか一項記載の計時装置。
【請求項６】
前記加飾板の表面側に単数または複数の凹部を形成してなる加飾が施され、前記表示パネルは、前記凹部に対応する部分に表示機能を有する構成であることを特徴とする請求項１乃至３のいずれか一項記載の計時装置。
【請求項７】
前記加飾板は、不透湿性の材料からなることを特徴とする請求項１乃至６のいずれか一項記載の計時装置。
【請求項８】
時計ケース内に収容されデジタル表示を行う表示に保持性を有する表示パネルと、この表示パネルの表面に積層した加飾板を備えてなることを特徴とする計時装置用文字板。
【請求項９】
時計ケース内にムーブメントとともに収容されこのムーブメントに備える針取付体に取着される表示指針によるアナログ表示と複合してデジタル表示を行う表示に保持性を有する表示パネルと、この表示パネルの表面に積層した加飾板を備え、この加飾板を積層した前記表示パネルに針取付体用貫通手段を有することを特徴とする計時装置用文字板。
【発明の詳細な説明】
【技術分野】
【０００１】
本発明は、保持性のある表示パネルを表示板（文字板）とし変化性のある加飾表示を行える計時装置及び計時装置用文字板に関する。
【背景技術】
【０００２】
従来、透過性基板を用いたソーラ時計用文字板において、透過性基板の上面には、光が透過する装飾膜を備え、また下面にはこの反射膜を凹部に有しかつ凸部に反射膜と異なる色調の光の透過率調整膜を複数の凹凸部を模様状に有し、装飾膜や反射膜、透過率調整膜を金属膜、金属酸化膜、樹脂膜などで形成することによって、また、それぞれ色調の異なるもので形成することによって、色々な色調のデザインバリエーションを得ることが提案されている（特許文献１参照）。
また従来、月日・時刻・時間等をデジタル表示とアナログ表示を複合表示する計時装置は、時計ケース内にムーブメントと、このムーブメントに備える針取付体に取着される表示指針と、前記ムーブメントと前記表示指針との間に設けた文字板と、この文字板に設けた窓に合わせて前記ムーブメントと前記文字板との間に液晶表示装置を設けたものが提案されている（特許文献２参照）。
他方、例えば色素層にデザインを付与する光電変換素子（特許文献３参照）が提案されており、文字板全体を光電変換素子で構成して色素層で文字板の略字を形成するとデザイン性を向上できることを示唆している。
【特許文献１】特開２００４−２９４２８１号公報
【特許文献２】特開２００５−９１１０２号公報
【特許文献３】特開２００４−２２８４５０号公報
【発明の開示】
【発明が解決しようとする課題】
【０００３】
特許文献１の時計用文字板では、表示が変えられない、微妙な変化が得られない、という問題がある。
特許文献２の時計では、文字板に設けた窓に合わせて液晶表示装置を設ける構成なのでデジタル表示とアナログ表示との各種関係付けができず複合表示にバリエーションが得られず、例えば、液晶表示装置と略字とが関連していないので液晶表示装置の表示機能を略字自身の表示の微妙な変化に結びつけることができない。液晶表示装置を略字と関連させるには新たに液晶表示装置を設ける必要があり高価になりコストパーフォーマンスが得られない。また、液晶表示パネルで文字板全体を構成してこの液晶表示装置の表示機能を略字自身の表示の微妙な変化に結びつけるようとすると、ムーブメントで駆動される表示指針との組み合わせができない。すなわち、この液晶表示装置にムーブメントの針取付体を通す貫通孔を開けることができないのである。
また、特許文献３の光電変換素子では、色素層にデザインを持たせる光電変換素子を略字に適用しても、略字自身の表示が変えられないし微妙な変化も付けられない。
【０００４】
本発明の目的は、上述した点に鑑みてなされたものであり、計時をデジタル表示またはアナログ表示で行うとともに表示パネルに加飾を可変に行えて、加飾表示にバリエーションと立体感と高級感が得られる計時装置及び計時装置用文字板を提供することにある。
【課題を解決するための手段】
【０００５】
上記課題を解決するため、本発明の計時装置は、時計ケース内に、表示に保持性を有する表示パネルと、この表示パネルの表面に近接または密着して重ねられ全部または一部が透明または半透明である加飾板を備えることを特徴とする。
この構成によれば、保持性を有する表示パネルで計時をデジタル表示するとともに、表示パネルに加飾性を持たせられる加飾板を積層したので、加飾を、表示パネルの表面に付加する加飾手段とデジタルな背景加飾表示とを組み合わせにより実現できて、加飾表示にバリエーションと立体感と高級感が得られる。
また本発明の他の計時装置は、時計ケース内に、ムーブメントと、このムーブメントに備える針取付体に取着される表示指針と、前記ムーブメントと前記表示指針との間に位置する表示パネルとを備えた計時装置において、前記表示パネルは、表示に保持性を有する表示パネルでありこの表示パネルの表面に近接または密着して重ねられ全部または一部が透明または半透明である加飾板を備え、さらに針取付体用貫通手段を備えていてここに前記針取付体を通した構成であることを特徴とする。
この構成によれば、ムーブメントで駆動される表示指針により計時をアナログ表示するとともに、表示パネルに加飾性を持たせられる加飾板を積層した（近接または密着して重ねた）ので、加飾を、表示パネルの表面に付加する加飾手段とデジタルな背景加飾表示とを組み合わせにより実現できて、加飾表示にバリエーションと立体感と高級感が得られる。
そして、いずれの発明の場合も、前記表示に保持性を有する表示パネルは、電気泳動表示装置であることが好ましい。
【０００６】
本発明によれば、文字板全面が表示パネルであり表示面積が極めて大きくなるが、この表示パネルが表示に保持性を有する構成なので文字板をダイナミック駆動する必要がないから極めて省電力で文字板全面の表示ができる。
また本発明によれば、保持性を有する表示パネルの表面に加飾板を積層した（近接または密着して重ねた）ので、この加飾板の表面に厚みのある略字を植設することができるから立体感・高級感をもたらすことができる。そして、表示板の外周部に設けられる略字に対して表示板全体を構成している保持性を有する表示パネルにより略字と関係付けた背景表示を行うことができるから、略字を単なる固定的な変化のない表示ではなくて略字と背景表示とを合体させた多様な表示を醸し出すことができ略字に変化感・高級感をもたらすことができる。
さらに本発明によれば、保持性を有する表示パネルの表面に加飾板を積層した（近接または密着して重ねた）構成であるので、透明を保って着色したまたはデザインをあしらった加飾板、あるいは加飾板に孔を開けもしくは表面側に凹凸を設けた立体的な加飾板として、この加飾板の加飾効果と表示パネルの表示との奏合効果により全体的に変化感のある表示を行うことができる。
さらに本発明によれば、保持性を有する表示パネルの表面に加飾板を積層した構成であるが、加飾板の屈折効果により表示パネルの表示が加飾板の内部にあるように浮かび上がって表示され、加飾板を積層した（近接または密着して重ねた）ことを感じさせることはなくあたかも一枚の表示板のように見せることができる。
【０００７】
上記いずれかの発明も、前記加飾板は、前記表示パネルの月齢表示等の表示箇所に対応した部分が貫通孔または透光窓になっていて、前記表示パネルは、前記貫通孔または前記透光窓に対応する部分に表示機能を有する構成であり、前記加飾板の前記貫通孔または前記透光窓に対応する部分以外の部分は、加飾板を不透明材料で構成するかまたは加飾板の表面または内部に不透明となる印刷層を有することを特徴とすることが好ましい。
この構成によれば、貫通孔または透光窓を通して表示パネルが表示する月齢表示等を見ることができ全体のデザインバラエティがさらに向上し立体感・高級感を得られる。
【０００８】
上記いずれの計時装置も、前記加飾板の表面に略字を単数または複数備え、前記表示パネルは、前記略字の周囲領域内の所要箇所に表示機能を有する構成である特徴とすることが好ましい。
この構成によれば、文字板全面を表示パネルとして実現できるから、この略字が単なる固定的な変化のない表示ではなくなり、略字と保持性を有する表示パネルの背景表示との組み合わせにより多彩なバリエーションで略字を表現できることになり高級感が得られる。
【０００９】
上記いずれの計時装置も、前記加飾板の表面側に単数または複数の凹部を形成してなる加飾が施され、前記表示パネルは、前記凹部に対応する部分に表示機能を有する構成であることを特徴とすることが好ましい。
この構成によれば、加飾板に設ける凹部に合わせて表示が必要なエリアを表示パネルが表示するもので、加飾板に凹部を形成してなる加飾と表示パネルによる表示とに整合性を生じてデザインが向上し、立体感・高級感を得られる。
上記構成において、前記凹部の側面を着色することが好ましく、そうすると、凹部底面に表示される表示パネルの表示色を際立たせることができる。
【００１０】
上記構成において、前記加飾板は、不透湿性の材料からなることが好ましい。
これにより、内部空間に進入した湿気が透明基板を拡散浸透することを加飾板が防ぐ機能を有するから、表示パネルの信頼性を維持できる。
【００１１】
本発明の計時装置用文字板は、時計ケース内に収容されデジタル表示を行う表示に保持性を有する表示パネルと、この表示パネルの表面に積層した加飾板を備えてなることを特徴とする。
この構成により、保持性を有する表示パネルで計時をデジタル表示で行うとともに、加飾を、表示パネルに付加する加飾手段とデジタルな背景加飾表示とを組み合わせにより実現でき、加飾の変化性・高級感を得られる。
【００１２】
また本発明の他の計時装置用文字板は、時計ケース内にムーブメントとともに収容されこのムーブメントに備える針取付体に取着される表示指針によるアナログ表示と複合してデジタル表示を行う表示に保持性を有する表示パネルと、この表示パネルの表面に積層した加飾板を備え、この加飾板を積層した前記表示パネルに針取付体用貫通手段を有することを特徴とする。
この構成により、ムーブメントで駆動される表示指針で計時をアナログ表示するための補助表示を行う略字を加飾板に植設できて、この略字と相俟って表示パネルにより略字の背景表示として種々なデザイン表示ができて、前側の立体的な略字と後側の背景表示のデザインとのマッチングによって加飾の変化性・立体感・高級感を得られる。
【発明の効果】
【００１３】
本発明によれば、保持性を有する表示パネルで計時をデジタル表示で行うとともに表示パネルに加飾性を持たせられる加飾板を積層したので、表示パネルの表面に付加する加飾手段と種々な背景加飾表示とを組み合わせとして加飾することができて、加飾表示にバリエーションと立体感と高級感が得られる。
また本発明によれば、計時をムーブメントによりアナログ表示で行うとともに表示パネルに保持性を有する表示パネルを用いてその表面に加飾性を持たせられる加飾板を積層したので、表示パネルの表面に付加する加飾手段と種々な背景加飾表示とを組み合わせとして加飾することができて、加飾表示にバリエーションと立体感と高級感が得られる。
【発明を実施するための最良の形態】
【００１４】
以下、本発明の計時装置及び計時装置用文字板について実施形態を図面を参照して説明する。実施形態はいずれも腕時計に適用した場合を示す。
［第１実施形態］
図１乃至図４は、第１実施形態を示す。図１は、腕時計１０の正面図であり、図２は、図１におけるII−II断面図である。この腕時計１０は、デジタル時計である装置本体１１と、装置本体１１に連結された時計バンド１２とを備えて構成される。
【００１５】
装置本体１１は、図２に示すように、時計ケース１３内に収容している表面に加飾板３１を積層した（近接または密着して重ねた）表示パネル１６により時分のデジタル表示を行う。
時計ケース１３は、図２に示すように、表側開口を透明カバー１４で閉じられ、裏側開口を裏蓋１５で閉じられ、もって内部に前記加飾板３１を積層した表示パネル１６を収容し、透明カバー１４を通して加飾板３１を積層した表示パネル１６の表示を視認可能である。前記加飾板３１を表示パネル１６に近接して重ねる場合には、ギャップを２ｍｍ位空ける場合も含む。
時計ケース１３及び裏蓋１５は、真鍮製、ステンレス等の金属製又は樹脂製であり、透明カバー１４は、ガラス製又は樹脂製である。
透明カバー１４は、樹脂又は金属製の圧入リング１７を介して時計ケース１３に圧入固定され、また、裏蓋１５は、パッキン１８を挟んで時計ケース１３に螺合され、もって、密封性や防水性が確保されている。
加飾板３１を表面に積層した表示パネル１６は、加飾板３１の表面外周部に設けたスペーサ１９を時計ケース１３に設けた円形張出部１３ａの後端面に当てがうとともに裏面外周部に押圧リング２０を当てがわれ、裏蓋１５の螺締めによって固定されている。
【００１６】
本発明の表示パネル１６は、アナログ時計の文字板及びムーブメントに相当する構成要素であり、表示に保持性を有する表示パネルで表示部全体を構成している。表示に保持性を有する表示パネルの１つとして、本実施形態では、電気泳動表示装置を用いている。表示パネル１６は、図１に示す、時計ケース１３の一側に備えている操作子２１，２２により所要操作を行う。
【００１７】
電気泳動表示装置は、例えば、図３の概略断面図に示すように、実装基板２３の上面にセグメント電極２４を備えてなる表示コントーロールパネルと、ガラスまたはプラスチックからなる透明基板２５と、透明基板２５の内面（下面）に形成した透明電極（共通電極）２６と、セグメント電極２４と透明電極２６の隙間に挟入された電気泳動層２７を備えてなる。
【００１８】
この電気泳動層２７は、例えば、プラスに帯電された複数の画素となる黒粒子２８と白色の電気泳動分散液２９を封入したマイクロカプセル３０の敷き詰め層（いわゆる１粒子系）であり、図示しないドライバＩＣやＲＯＭに記憶されたプログラムソフトの働きでセグメント電極２４と透明電極２６との間で駆動電圧を印加して生起する電界によりカプセル内の黒粒子２８が電気泳動して分布状態が変わり白色の電気泳動分散液２９との間で表示色が２色変化して表示を行う。
【００１９】
マイクロカプセルの敷き詰め層である電気泳動層２７は、図示しないドライバＩＣから駆動電圧を透明電極２６と各セグメント電極２４に供給すると、マイクロカプセルに封入された電気泳動分散液２９に電界が付与され、この電気泳動分散液中にプラス極性に帯電している黒粒子２８が電気泳動して表面側に移動するときは電気泳動表示装置は黒色を呈し、裏面側に移動するときは電気泳動表示装置は電気泳動分散液２９で白色を呈する。
【００２０】
詳述すると、透明電極２６が０Ｖ電位（アース電位）に保持され、セグメント電極２４がプラス電位になると、プラス電位のセグメント電極２４から０Ｖ電位の透明電極２６に向かう電界が発生し、プラスに帯電した黒粒子２８が透明電極２６側に移動し、これに伴って、白色の電気泳動分散液がセグメント電極２４側に移動する。この結果、表面側から見るマイクロカプセル３０は黒色を呈する。これとは逆に図３では図示していないが、透明電極２６がプラス電位、セグメント電極２４が０Ｖ電位に保持されると、プラスに帯電した黒粒子２８がセグメント電極２４側に移動し、この結果、表面側から見るマイクロカプセル３０は白色の電気泳動分散液２９により白色を呈する。また、透明電極２６とセグメント電極２４との間に電位差を生じない場合には、黒粒子２８の移動が生じないため、セグメントの表示色は変化せずに以前の状態が維持される。すなわち、電気泳動表示装置は、表示に保持性を有している。ただし、湿度が入るとこの白黒粒子の移動に支障をきたすので必ず封止等の処理を施さなくてはならない。
【００２１】
電気泳動表示装置は、時分のデジタル表示を行うために、図１に示すように、4つの７セグメント２４ａと、時と分の間の「：」を表示する２つのセグメント２４ｂを備えている。しかし、これらのセグメントだけでは、時分のデジタル表示について白と黒の反転表示ができない。時分について、黒色から白色へ及び白色から黒色への反転表示は、周囲の色を含めて行う必要がある。
本実施形態の電気泳動表示装置は、さらに、電気泳動表示装置で表示色の反転表示を行うために、実装基板２３の上面に前記セグメント以外の地部分を占めて地セグメント電極（符号なし）を備えているものとする。
【００２２】
今、透明電極２６をプラス電位、全てのセグメント電極を０Ｖ電位とすれば、全てのマイクロカプセル３０内の黒粒子２８が後面側へ移動して電気泳動表示装置は表示画面全面が白色表示になり、また反対に、透明電極２６を０Ｖ電位、全てのセグメント電極をプラス電位とすれば、全てのマイクロカプセル３０内の黒粒子２８が前面側へ移動して電気泳動表示装置は表示画面全面が黒色表示になる。
周囲を白く、時分の７セグメント構成数字を黒く表示するには、表示画面全面を白色表示した状態から、透明電極２６をプラス電位から０Ｖ電位に切り替えるとともに、７つのセグメント電極のうち時分を黒く表示するに必要な複数のセグメント電極のみを０Ｖ電位からプラス電位に切り替える。
周囲を黒く、時分の７セグメント構成数字を白く表示するには、表示画面全面を白色表示した状態から、透明電極２６をプラス電位から０Ｖ電位に切り替えるとともに、７つのセグメント電極のうち時分を白く表示するに必要な複数のセグメント電極以外の全てのセグメント電極（地セグメント電極も含む）をプラス電位から０Ｖ電位に切り替える。
従って、時分について、黒色から白色へ及び白色から黒色への反転表示には、反転前表示と反転後表示の間に表示画面全面を白色表示した状態に戻すことが行われる。
なお、上記とは別の方法で表示を切り替えても良い。
【００２３】
本発明の表示パネル１６は、全体を電気泳動表示装置で構成していて、電気泳動表示装置の表面側の透明基板２５に上述した加飾板３１を積層している。
本実施形態の加飾板３１は、均一な厚さで透明基板２５の全面を覆っている。
【００２４】
この加飾板３１は、白蝶貝を加工した白色を帯びた透明シートで構成すると、図４（ａ）と（ｂ）に示す加飾機能を有する。説明すると、図４（ａ）に示すように、周囲３２を白く、時分の７セグメント構成数字３３を黒く表示するときは、白蝶貝の白色を帯びた透明に電気泳動分散液２９の白色が加わって本来の白蝶貝の白色を呈するとともに時分表示が白蝶貝の屈折率により白蝶貝の表層に黒く浮かび上がる表示となる。そして、図４（ｂ）に示すように、周囲３２を黒く、時分の７セグメント構成数字３３を白く表示するときは、白蝶貝の白色を帯びた透明に黒粒子２８の黒色が加わって白蝶貝の色が黒蝶貝の黒色を呈するとともに時分表示が黒蝶貝の表層に黒く浮かび上がる表示となる。
【００２５】
白蝶貝を加工した白色を帯びた透明シートでできた加飾板３１は、不透湿性を有する。
加飾板３１が不透湿性を保有すると、時計を誤って水中に落としてしまったとか、その他に起因して、湿気が表面の保護ガラスの嵌合部を通り保護ガラスと表示パネルの内部空間に進入したとしても、表示パネルの透明な表面カバーを不透湿性の加飾板が積層状態に覆っている構成なので、内部空間に進入した湿気が透明基板を拡散浸透することを加飾板が防ぐ機能を有するから、表示パネルの信頼性を維持できる。
【００２６】
加飾板３１に不透湿性を具有させる観点からは、呉羽化学工業株式会社の超防湿シート“セレール”（登録商標）を用いることが最も好ましい。“セレール”は、表面層が不透湿性、耐薬品性、耐防汚性、紫外線カット性を備えたＫＦＣフィルムで構成され内面層がホットメルト材で構成されていて、透明基板２５に対して加熱接着できる。
不透湿性を有する加飾板３１を、積層フィルムで構成する場合には表層に近い積層面に透き通って見える着色あるいはデザインを印刷（裏刷り印刷）して加飾すると、上記の白蝶貝を加工した白色を帯びた透明シートを積層する場合と同様に、電気泳動表示装置１６による表示とコンバインされた加飾が多種多様に実現できる。
【００２７】
以上のように、腕時計として具現した本実施形態の計時装置及び計時装置用文字板によれば、保持性を有する表示パネル１６で計時をデジタル表示するとともに、表示パネル１６の全表面に加飾性を持たせられる加飾板３１を積層したので、加飾を、表示パネルの表面に付加する加飾手段とデジタルな背景加飾表示とを組み合わせにより実現できて、加飾表示にバリエーションと立体感と高級感が得られ、省電力で文字板全面の表示ができ、加飾板の加飾効果と表示パネルの表示との奏合効果により全体的に変化感のある表示を行うことができ、加えて、加飾板の屈折効果により表示パネルの表示が加飾板の内部にあるように浮かび上がって表示され、加飾板を積層したことを感じさせることはなくあたかも一枚の表示板のように見せることができる。
【００２８】
［第２実施形態］
図５乃至図９は、第２実施形態を示す。図５は腕時計４０の正面図であり、図６は、図５におけるVI−VI断面図である。なお、前記実施例１とそれぞれ実質的に同一な部分については同一符号を付して説明を省き、相違点を中心に説明する。
【００２９】
この腕時計４０は、装置本体４１と、装置本体４１に連結された時計バンド１２とを備えて構成される。図６に示すように、装置本体４１は、時計ケース１３内に、ムーブメント４４と、このムーブメント４４に備える針取付体４５に取着される表示指針４６と、ムーブメント４４と表示指針４６との間に位置する表示パネル４７とを備えている。
表示パネル４７は、図１に示す表示パネル１６と同様に、表示に保持性を有する表示パネル、具体的には電気泳動表示装置でありパネル表面に加飾板４８を積層して、表示パネル４７と加飾板４８に対して針取付体用貫通手段である貫通孔４９を開けて針取付体４５を通している。そして、時計ケース１３にムーブメント４４を調整する竜頭５５を備えている（図５、図６参照）。
【００３０】
図７は、表面に加飾板４８を積層した表示パネル４７の表面図を示したものである。この表示パネル４７は、電気泳動表示装置であり構造及び動作原理については図３を用いた説明で述べたので省略するものとし、相違する点について述べる。
【００３１】
表示パネル４７は、図７に示すように、時分表示のためのセグメント電極２４ａ，２４ｂを、図６に示す実装基板４７ａの上面において針取付体用貫通手段である貫通孔４９より上側（図７において上半部）に備えており、また、月齢表示を行うために新月、三日月、半月、満月を組み合わせ表示するための４分割セグメント５３を実装基板４７ａ（図３における実装基板２４が対応している）の上面において貫通孔４９より下側に備えている。
加飾板４８は、４分割セグメント５３による月齢表示を直接に見通せる貫通孔５４を有している。この貫通孔５４は、表示パネル４７の表面に円形凹部を形成して立体的に加飾している。この貫通孔５４を設けるとこの部分での防水性を失うので、貫通孔５４に替えて透光窓としてこの透光窓の周りを不透明にした状態に加飾しても良い。第１実施形態で述べたように、加飾板４８は、透光性を保有して表面または内部を着色しまたはデザインを付加して加飾し、表示パネル４７の背景表示と複合させた加飾を行うことができる。
【００３２】
図８は、貫通孔５４内に位置している４分割セグメント５３による月齢を示している。
図９は、（ａ）では中抜きの略字５１に対してこの略字５１を中央に位置させてこの略字５１よりも大きい黒丸の背景表示５２ａを電気泳動表示装置で行うことができ、また、（ｂ）のように、略字５１を囲む黒色の輪郭円の背景表示５２ｂに変えることができ、さらに、（ｃ）のように、略字５１に対して黒色の菱形となる背景表示５２ｃに変えることができる。このように、（ａ），（ｂ），（ｃ）のいずれの場合でも、略字５１の形状や色には変化がないが、電気泳動表示装置が表示パネルを形成しているから、略字５１を取り巻く所望箇所の背景表示をいかようにも変えられるので、あたかも略字５１が変化している状況を醸し出せるので、そして、略字５１が前側で電気泳動表示装置の背景表示が後側となって立体感・興趣感・高級感を生じる。
【００３３】
加飾板４８には１２時と３時と６時と９時の位置の４箇所に微細孔が開けられここに厚みのある略字５１が植設されており、この略字５１に対応して、電気泳動表示装置における表示を、図示しないドライバＩＣとＲＯＭに記憶されたプログラムソフトの働きで略字５１に関連付けた表示を行わせると、前側の略字５１と後側の背景表示の組み合わせにより、基本的な略字５１のデザインを保有しながら多種多様の加飾性を得られる。
略字５１は黒色であっても良い。略字５１が黒色の場合、プログラムソフトの働きで（ｂ）のように、白丸となる背景表示に変えることにすれば、黒色の略字５１でも良く映える。略字５１に例えば十二支のデザインをあしらい、白丸となる背景表示を行ってかつ各十二支の目の位置を電気泳動表示装置で白で表現すると影絵表現にすることができる。
なお、略字５１は、加飾板４８にメタリックラベルを貼着し、または印刷する場合も含まれ、この場合でも、図９に示す略字５１と背景表示５２ａ，５２ｂ，または５２ｃとの組み合わせ表示のバリエーションが得られる。
【００３４】
以上のように、この腕時計４０は、ムーブメント４４により駆動される表示指針４６と略字５１等とによって時刻を指し示すアナログ表示時計であるとともに、表示パネル４７で時分をデジタル表示するデジタル表示時計であり、さらに、月齢表示を表示パネル４７で行い、加飾板４８で月齢表示を行い部分に立体的な仕切りを入れて加飾し、さらに、加飾板４８に植設した略字５１とこの略字５１に関連する背景表示５２ａ，５２ｂ，５２ｃを表示パネル４７で行って複合的に可変させることができる。
本実施形態において、第１実施形態の構成と実質的に同一の構成部分から生ずる作用と効果は、第１実施形態の構成から生ずる作用と効果と同一なので説明を省略する。
【００３５】
［第３実施形態］
図１０乃至図１２は、第３実施形態を示す。図１０は腕時計６０の正面図であり、図１１は、図１０におけるXI−XI線に沿った断面図である。なお、前記実施例１及び前記実施例２とそれぞれ実質的に同一な部分については同一符号を付して説明を省き、相違点を中心に説明する。
【００３６】
この腕時計６０は、装置本体６１と、装置本体６１に連結された時計バンド１２とを備えて構成される。図１１に示すように、装置本体６１は、時計ケース１３内に、ムーブメント４４と、表示指針４６と、ムーブメント４４と表示指針４６との間に位置する表示パネル６２とを備え、表示パネル６２は、図５に示す表示パネル４７と同様に、表示に保持性を有する表示パネル、具体的には電気泳動表示装置でありこの表示パネルの表面に加飾板６３を積層して表示パネル６２と加飾板６３に対して貫通孔４９を開けて針取付体４５を通している。
【００３７】
この腕時計６０は、図１０に示すように、加飾板６３の表面に凹凸を形成して加飾していることが、第２実施形態の加飾板４８と相違している。この加飾板６３は、左右に大きさの異なる弓形凹部６４，６５を備え、この弓形凹部６４，６５に挟まれる領域の下部に深さが大きい矩形凹部６６を備えていて、立体的に加飾している。
表示パネル６２は、セグメント電極を加飾板６３の弓形凹部６４，６５と矩形凹部６６に対応する部分だけに備えていて、図１２に示すように、弓形凹部６４，６５と矩形凹部６６による加飾と重畳させて、弓形凹部６４，６５と矩形凹部６６の全部に対応して黒く表示できる加飾機能を備えている。そして、図１０に示す矩形凹部６６の側面が太く黒く縁取りして示しているようにこの側面が黒色に塗られて加飾されており、図１２に示すように、矩形凹部６６の底面の黒色表示を一層際立たせる作用をする。なお、弓形凹部６４，６５と矩形凹部６６において月齢表示や曜日表示、時分表示等を行うようにしても良い。
【００３８】
以上のように、この腕時計６０は、ムーブメント４４により駆動される表示指針４６と略字５１等とによって時刻を指し示すアナログ表示時計であり、さらに、加飾板６３の表面に凹凸を形成して立体的に加飾し、さらに、凹凸に関連する背景表示を表示パネル４７で行って複合的に加飾を行うものである。
本実施形態において、第１及び第２実施形態の構成と実質的に同一の構成部分から生ずる作用と効果は、第１及び第２実施形態の構成から生ずる作用と効果と同一なので説明を省略する。
【００３９】
以上、図面を用い実施形態に基づいて、本発明を説明したが、本発明は、これに限定されるものではない。上記実施形態では、本発明を腕時計に適用した例を示したが、本発明は腕時計に限らず、置き時計、懐中時計、ストップウォッチ等の各種時計、その他の計時装置の表示に同様に適用することができる。
また、上記実施形態では、機械式のアナログ式時計について説明したが、デジタル式の時計に対しても適用が可能である。
電気泳動表示装置以外に、他の表示に保持性を有する表示パネルにも適用される。例えば、半球ごとに白と黒に塗り分けられた球形微粒子の向きを電界により制御して白と黒からなる画像を表示するツイストボールの表示方式も含む。
【図面の簡単な説明】
【００４０】
【図１】本発明の第１実施形態にかかる計時装置を示す正面図である。
【図２】図１におけるII−II断面図である。
【図３】本発明の計時装置を構成する電気泳動表示装置の一例を示す概略断面図である。
【図４】本発明の計時装置の組み合わせ表示の変化例を示す図である。
【図５】本発明の第２実施形態にかかる計時装置を示す正面図である。
【図６】図５におけるVI−VI断面図である。
【図７】図６の計時装置の表示パネルの表面図である。
【図８】図５の計時装置の表示パネルに設ける月齢表示の変化を示す図である。
【図９】図５の計時装置の組み合わせ表示の変化例を示す図である。
【図１０】本発明の第３実施形態にかかる計時装置を示す正面図である。
【図１１】図１０におけるXI−XI断面図である。
【図１２】図１０の計時装置の表示パネルを変化後の表面図である。
【符号の説明】
【００４１】
１０…腕時計、１３…時計ケース、１６…表示パネル（電気泳動表示装置）、２５…透明基板、３１…加飾板、４０…腕時計、４４…ムーブメント、４５…針取付体、４６…表示指針、４７…表示パネル、４８…加飾板、４９…貫通孔（針取付体用貫通手段）、５１…略字、５２ａ〜５２ｃ…背景表示、５３…貫通孔、６０…腕時計、６２…表示パネル、６３…加飾板、６４…貫通孔（針取付体用貫通手段）、６４，６５…弓形凹部、６６…矩形凹部。
【図１】
2007047030.tif 000003
【図２】
2007047030.tif 000004
【図３】
2007047030.tif 000005
【図４】
2007047030.tif 000006
【図５】
2007047030.tif 000007
【図６】
2007047030.tif 000008
【図７】
2007047030.tif 000009
【図８】
2007047030.tif 000010
【図９】
2007047030.tif 000011
【図１０】
2007047030.tif 000012
【図１１】
2007047030.tif 000013
【図１２】
2007047030.tif 000014